(57)【要約】【課題】先端部及び後端部が基板に固定されるとともに、基板面に垂直な方向に移動可能な自由端部が先端部と後端部との間に位置する端子を有することにより、厚さが薄く、簡単な構造でありながら、端子の先端部が平板状ケーブルに当接することがなく、平板状ケーブルを容易に挿入することができ、平板状ケーブルが外れることがなく、確実に平板状ケーブルを接続することができるようにする。【解決手段】挿入された平板状ケーブル５１の導電線５５と電気的に接続する端子３１を有し、基板４１面に実装されるケーブル接続用コネクタ１０であって、前記端子３１は、前記平板状ケーブル５１の挿入方向に延在し、前記基板４１面に固定される先端部３５及び後端部３３、並びに、前記先端部３５と後端部３３との間に位置し、前記基板４１面に垂直な方向に移動可能な自由端部３８を備える。【選択図】図１
2007234530.tif 000002
【特許請求の範囲】
【請求項１】
（ａ）挿入された平板状ケーブル（５１）の導電線（５５）と電気的に接続し、基板（４１）面に実装されるケーブル接続用コネクタ（１０）に用いられる端子（３１）であって、
（ｂ）前記平板状ケーブル（５１）の挿入方向に延在し、前記基板（４１）面に固定される先端部（３５）及び後端部（３３）、並びに、前記先端部（３５）と後端部（３３）との間に位置し、前記基板（４１）面に対して移動可能な自由端部（３８）を有することを特徴とするケーブル接続用コネクタ（１０）の端子（３１）。
【請求項２】
前記挿入方向に延在し、一端が前記先端部（３５）に接続され、他端が前記自由端部（３８）である、前記導電線（５５）と接触する接触部（３６）を更に有する請求項１に記載のケーブル接続用コネクタ（１０）の端子（３１）。
【請求項３】
（ａ）前記挿入方向に延在し、一端が前記後端部（３３）に接続された本体部（３２）、及び、前記挿入方向に延在し、一端が前記本体部（３２）に接続され、他端が前記先端部（３５）に接続された連結部（３４）を更に有し、
（ｂ）前記接触部（３６）は、前記平板状ケーブル（５１）が挿入されない状態において基板（４１）面から離間する方向に変位した弾性を備える部材であり、前記連結部（３４）と並列に配設され、前記接触部と連結部（３４）と先端部（３５）とは同一面側で一体となっている請求項２に記載のケーブル接続用コネクタ（１０）の端子（３１）。
【請求項４】
（ａ）接続する平板状ケーブル（５１）の挿入方向に延在し、一端が後端部（３３）に接続された本体部（３２）、前記挿入方向に延在し、一端が前記本体部（３２）に接続され、他端が先端部（３５）に接続された連結部（３４）、及び、一端が前記先端部（３５）に接続され、他端が前記自由端（３８）であり、前記平板状ケーブル（５１）の導電線（５５）と接触する接触部（３６）を備えた複数の端子（３１）を有し、
（ｂ）前記端子（３１）は、前記本体部（３２）を固定する横桟部（２２）を備え、絶縁性材料から成る端子支持部材（２１）によって前記挿入方向と平行に複数配列されたことを特徴とするケーブル接続用コネクタ（１０）。
【請求項５】
前記接触部（３６）は、前記平板状ケーブル（５１）が挿入されない状態において基板（４１）面から離間する方向に変位した弾性を備える部材であり、前記連結部と並列に配列され、前記接触部（３６）と連結部（３４）と先端部（３５）とは同一面側で一体となっている請求項４に記載のケーブル接続用コネクタ（１０）。
【請求項６】
前記端子支持部材（２１）は、前記横桟部（２２）の両端に接続され、前記挿入方向に延在する一対の保持腕部（２３）を備える請求項４又は５に記載のケーブル接続用コネクタ（１０）。
【請求項７】
（ａ）前記平板状ケーブル（５１）は両側から突出する耳部（５４）を備え、
（ｂ）前記保持腕部（２３）は、前記耳部（５４）が嵌入される嵌合凹部（２５）を備える請求項６に記載のケーブル接続用コネクタ（１０）。
【請求項８】
前記端子（３１）及び端子支持部材（２１）を覆うように前記基板（４１）面に取付けられ、該基板（４１）面との間に前記平板状ケーブル（５１）が挿入される挿入口（１３）を画定するカバー部材（１１）を有する請求項７に記載のケーブル接続用コネクタ（１０）。
【発明の詳細な説明】
【技術分野】
【０００１】
本発明は、ケーブル接続用コネクタ及びその端子に関するものである。
【背景技術】
【０００２】
従来、フレキシブル回路基板（ＦＰＣ：Ｆｌｅｘｉｂｌｅ  Ｐｒｉｎｔｅｄ  Ｃｉｒｃｕｉｔ）、フレキシブルフラットケーブル（ＦＦＣ：Ｆｌｅｘｉｂｌｅ  Ｆｌａｔ  Ｃａｂｌｅ）等と称される可撓（とう）性を備える平板状ケーブルを接続するためにＦＰＣコネクタ、ＦＦＣコネクタ等のケーブル接続用コネクタが使用されている（例えば、特許文献１参照。）。そして、該ケーブル接続用コネクタは、基板の表面に実装されている。
【０００３】
図８は従来のケーブル接続用コネクタの断面図である。
【０００４】
従来のケーブル接続用コネクタは、合成樹脂等の絶縁性材料から成り、隔壁３０７によって仕切られた複数の端子収容室３０２を備えるハウジング３０１と、金属等の導電性材料から成り、前記端子収容室３０２内に保持される複数の端子３０３とを有する。そして、該端子３０３は、略Ｕ字状の縦断面形状を備え、はんだテール部３０８が基板３１１上の図示されない導電トレースにはんだ付によって接続されている。
【０００５】
また、前記ハウジング３０１は、各端子収容室３０２の上側を横断的に連結するケーブル挿入室３０９を備え、挿入口３０５から挿入された平板状ケーブル３１０の先端が前記ケーブル挿入室３０９内に挿入される。そして、前記端子３０３は、上方に膨出する上側片部３０４を備え、該上側片部３０４が前記ケーブル挿入室３０９内に挿入された平板状ケーブル３１０の導電線に弾性的に接触する。なお、前記ハウジング３０１は、下部から斜め上方に延出するガイド部３０６を備え、該ガイド部３０６が前記端子３０３の挿入口３０５側の部分を覆うことによって、挿入口３０５から挿入された平板状ケーブル３１０の先端をケーブル挿入室３０９内にガイドするようになっている。
【特許文献１】特開平１０−１１６６５９号公報
【発明の開示】
【発明が解決しようとする課題】
【０００６】
しかしながら、前記従来のケーブル接続用コネクタにおいては、端子３０３が略Ｕ字状の縦断面形状を備えているので、上下方向の寸法が大きくなり、ケーブル接続用コネクタ全体が厚くなってしまう。また、平板状ケーブル３１０の先端をケーブル挿入室３０９内にガイドするために、端子３０３の挿入口３０５側の部分を覆うためのガイド部３０６が必要となるので、ハウジング３０１の形状が複雑になってしまう。さらに、各端子３０３を保持するために複数の端子収容室３０２が必要となるので、ハウジング３０１の形状がより複雑になってしまう。
【０００７】
本発明は、前記従来のケーブル接続用コネクタの問題点を解決して、先端部及び後端部が基板に固定されるとともに、基板面に垂直な方向に移動可能な自由端部が先端部と後端部との間に位置する端子を有することにより、厚さが薄く、簡単な構造でありながら、端子の先端部が平板状ケーブルに当接することがなく、平板状ケーブルを容易に挿入することができ、平板状ケーブルが外れることがなく、確実に平板状ケーブルを接続することができるケーブル接続用コネクタ及びその端子を提供することを目的とする。
【課題を解決するための手段】
【０００８】
そのために、本発明のケーブル接続用コネクタの端子においては、挿入された平板状ケーブルの導電線と電気的に接続し、基板面に実装されるケーブル接続用コネクタに用いられる端子であって、前記平板状ケーブルの挿入方向に延在し、前記基板面に固定される先端部及び後端部、並びに、前記先端部と後端部との間に位置し、前記基板面に対して移動可能な自由端部を有する。
【０００９】
本発明の他のケーブル接続用コネクタの端子においては、さらに、前記挿入方向に延在し、一端が前記先端部に接続され、他端が前記自由端部である、前記導電線と接触する接触部を更に有する。
【００１０】
本発明の更に他のケーブル接続用コネクタの端子においては、さらに、前記挿入方向に延在し、一端が前記後端部に接続された本体部、及び、前記挿入方向に延在し、一端が前記本体部に接続され、他端が前記先端部に接続された連結部を更に有し、前記接触部は、前記平板状ケーブルが挿入されない状態において基板面から離間する方向に変位した弾性を備える部材であり、前記連結部と並列に配設され、前記接触部と連結部と先端部とは同一面側で一体となっている。
【００１１】
本発明のケーブル接続用コネクタにおいては、接続する平板状ケーブルの挿入方向に延在し、一端が後端部に接続された本体部、前記挿入方向に延在し、一端が前記本体部に接続され、他端が先端部に接続された連結部、及び、一端が前記先端部に接続され、他端が前記自由端であり、前記平板状ケーブルの導電線と接触する接触部を備えた複数の端子を有し、前記端子は、前記本体部を固定する横桟部を備え、絶縁性材料から成る端子支持部材によって前記挿入方向と平行に複数配列される。
【００１２】
本発明の他のケーブル接続用コネクタおいては、さらに、前記接触部は、前記平板状ケーブルが挿入されない状態において基板面から離間する方向に変位した弾性を備える部材であり、前記連結部と並列に配列され、前記接触部と連結部と先端部とは同一面側で一体となっている。
【００１３】
本発明の更に他のケーブル接続用コネクタにおいては、さらに、前記端子支持部材は、前記横桟部の両端に接続され、前記挿入方向に延在する一対の保持腕部を備える。
【００１４】
本発明の更に他のケーブル接続用コネクタにおいては、さらに、前記平板状ケーブルは両側から突出する耳部を備え、前記保持腕部は、前記耳部が嵌入される嵌合凹部を備える。
【００１５】
本発明の更に他のケーブル接続用コネクタにおいては、さらに、前記端子及び端子支持部材を覆うように前記基板面に取付けられ、該基板面との間に前記平板状ケーブルが挿入される挿入口を画定するカバー部材を有する。
【発明の効果】
【００１６】
本発明によれば、ケーブル接続用コネクタは、先端部及び後端部が基板に固定されるとともに、基板面に垂直な方向に移動可能な自由端部が先端部と後端部との間に位置する端子を有する。これにより、厚さが薄く、簡単な構造でありながら、端子の先端部が平板状ケーブルに当接することがなく、平板状ケーブルを容易に挿入することができ、平板状ケーブルが外れることがなく、確実に平板状ケーブルを接続することができる。
【発明を実施するための最良の形態】
【００１７】
以下、本発明の実施の形態について図面を参照しながら詳細に説明する。
【００１８】
図１は本発明の実施の形態におけるケーブル接続用コネクタの端子ユニットを示す斜視図、図２は本発明の実施の形態におけるケーブル接続用コネクタの分解図、図３は本発明の実施の形態におけるケーブル接続用コネクタを示す斜視図、図４は本発明の実施の形態における平板状ケーブルの端部を示す平面図である。
【００１９】
図３において、１０は本実施の形態におけるケーブル接続用コネクタであり、回路基板等の基板４１の面上に実装されて、図４に示されるようなフレキシブル回路基板、フレキシブルフラットケーブル等と称される平板状ケーブル５１を電気的に接続するために使用される。
【００２０】
なお、本実施の形態において、ケーブル接続用コネクタ１０及び平板状ケーブル５１の各部の構成及び動作を説明するために使用される上、下、左、右、前、後等の方向を示す表現は、絶対的なものでなく相対的なものであり、ケーブル接続用コネクタ１０及び平板状ケーブル５１が図に示される姿勢である場合に適切であるが、ケーブル接続用コネクタ１０及び平板状ケーブル５１の姿勢が変化した場合には姿勢の変化に応じて変更して解釈されるべきものである。
【００２１】
ここで、平板状ケーブル５１は、狭い実装空間での使用に適しており、図４に示されるような導電線５５を備える細長い帯状のケーブル本体５２を有する。なお、図４は、細長いケーブル本体５２の長さ方向の端部における一面を拡大して示す図である。前記ケーブル本体５２の内部には、ケーブル本体５２の長さ方向に延在する箔（はく）状の導電性金属から成る導電線５５が複数本、例えば、１０本程度、所定のピッチ、例えば、約０．５〔ｍｍ〕で並列に配設されている。なお、前記導電線５５の数及びピッチは、適宜変更することができる。また、前記導電線５５は、電気的絶縁性を示すフィルム状の絶縁層によって上下両面から挟みこまれたようにして被覆されている。
【００２２】
さらに、ケーブル本体５２の長さ方向の端部の一方の面（図４における裏側の面）には補強板５３が貼（てん）付され、ケーブル本体５２の長さ方向の端部における補助板５３と反対側の面においては、前端縁５６から長さ方向の所定の範囲に亘（わた）り、導電線５５が露出するようになっている。前記補助板５３は、ポリイミド等の比較的硬度の高い材料から成り、平板状ケーブル５１の前端縁５６から長さ方向の所定の範囲（導電線５５が露出する範囲と必ずしも同一の範囲ではない）に亘り、かつ、幅方向の全範囲に亘り、ケーブル本体５２の長さ方向の端部の一面を覆っている。そして、導電線５５の露出した面（図４における表側の面）が基板４１に対向するようにして、ケーブル接続用コネクタ１０の挿入口１３から挿入されるものとする。
【００２３】
また、前記平板状ケーブル５１の長さ方向先端近傍には、平板状ケーブル５１の両側の側端縁５７から外方向に突出する耳部５４が形成されている。なお、該耳部５４は、平板状ケーブル５１の前端縁５６から所定距離に位置し、ケーブル本体５２及び補助板５３に形成されているが、補強板５３のみに形成されていてもよい。また、前端縁５６の両端と側端縁５７とが接続される部分、すなわち、前端角部５６ａは、弧状又はテーパ状の形状を備えていることが望ましい。
【００２４】
そして、前記ケーブル接続用コネクタ１０は、図２に示されるように、端子ユニット２０及び該端子ユニット２０の周囲を覆うカバー部材１１を有する。該カバー部材１１は、複数の平板状の壁部材を備える薄い方形の箱状の部材であるが、基板４１に対向する面及び挿入口１３に対応する面は、壁部材を備えておらず、開放されている。また、挿入口１３の左右両側の側壁には、外方へ延出する足部１２が結合されている。該足部１２は、カバー部材１１を基板４１に取付けるための部材であり、はんだ、接着剤等によって前記基板４１の面に固定される。そして、前記カバー部材１１は、合成樹脂、セラミクス等の絶縁性材料から成り、前記足部１２と一体的に形成された部材である。なお、前記足部１２は、別個に形成した後にカバー部材１１に取付けることもできる。
【００２５】
また、前記端子ユニット２０は、所定のピッチ、例えば、約０．５〔ｍｍ〕で並列に配設された複数、例えば、１０本の端子３１、及び、該端子３１を支持する端子支持部材２１を有し、全体に扁（へん）平な櫛（くし）のような形状を備える部材であり、前記基板４１の面上に実装され、その周囲をカバー部材１１によって覆われる。なお、前記端子３１の数及びピッチは、前記平板状ケーブル５１の導電線５５の数及びピッチに対応するように、適宜変更される。
【００２６】
そして、各端子３１は、弾性を備える金属板から形成され、平板状ケーブル５１の挿入方向（図１における右下から左上に向かう方向）に平行に延在する細長い帯状の部材であり、隣接するもの同士が接触しないように、並列に配設されている。また、前記端子３１は、平板状ケーブル５１の挿入方向に平行に延在する本体部３２、該本体部３２から挿入口１３の方向に向けて延在する連結部３４、及び、該連結部３４における本体部３２と反対側の端に接続された先端部３５を備える。ここで、前記本体部３２は、その一部が端子支持部材２１の横桟部２２に取付けられ、これにより、端子３１が端子支持部材２１によって支持される。また、横桟部２２から前記先端部３５と反対側に突出した部分は、後端部３３であり、基板４１の表面に露出する図示されない接続パッド等に、はんだ付等の接続手段によって、電気的かつ物理的に接続される。これにより、端子３１は、基板４１が備える図示されない導電トレースに、前記接続パッド等を介して導通される。
【００２７】
また、前記先端部３５には、後端部３３の方向、すなわち、平板状ケーブル５１の挿入方向に延出する接触部３６が接続される。該接触部３６は、前記連結部３４と同様に、細長い板状の形状を備え、かつ、前記連結部３４と並列に配設され、その自由端部３８が本体部３２と連結部３４との接続部の近傍に位置する。この場合、前記連結部３４は、その長手方向中心軸線が本体部３２の長手方向中心軸線に対して、接触部３６と反対側寄りにずれるように配設されている、すなわち、本体部３２に対して、接触部３６と反対側にオフセットされていることが望ましい。これにより、接触部３６と連結部３４とを合わせた部分の長手方向中心軸線と本体部３２の長手方向中心軸線とを近接させることができ、隣接する端子３１同士の間隔を狭めて、ピッチを小さくすることができる。接触部３６は先端部３５で連結部３４と一体に接続されているが、先端部３５で折返されることなく、接触部３６、先端部３５及び連結部３４の同一面が現れるように形成されている。このようにすると、先端部３５を端子３１の板厚だけで薄く形成することができ、平板状ケーブル５１の装着を容易にすることができる。
【００２８】
ここで、前記先端部３５は、接着剤等の接続手段によって、基板４１の表面に物理的に接続される。すなわち、基板４１の表面に固定される。これにより、接触部３６は、先端部３５に接続された部分が固定され、自由端部３８が基板４１面に垂直な方向、すなわち、上下動可能なカンチレバー状の部材として機能する。なお、前記接触部３６は、先端部３５と自由端部３８との間が上方に向けて突出し、長手方向の断面形状が山形となっており、その頂部３７が平板状ケーブル５１の導電線５５の露出した部分と接触して導通する。そして、挿入口１３から平板状ケーブル５１が挿入されると、先端部３５が基板４１の表面に固定されているので、平板状ケーブル５１の前端縁５６は、前記先端部３５に引掛かることなく、スムーズに挿入方向に進行する。また、接触部３６の上面は、先端部３５から頂部３７まで上昇する傾斜面となっているので、平板状ケーブル５１の前端縁５６は、接触部３６の上面に沿ってスムーズに挿入方向に進行する。
【００２９】
一方、前記端子支持部材２１は、合成樹脂等の絶縁性材料から成る一体的に形成された部材であり、端子３１の配列方向に延在する帯状の部材であって、各端子３１の本体部３２が取付けられる横桟部２２、及び、該横桟部２２の両端から挿入口１３の方向に向けて延在する一対の保持腕部２３を有する。ここで、前記端子支持部材２１は、端子３１の本体部３２をオーバーモールドすることによって、横桟部２２が前記本体部３２と一体化するように成形されている。なお、横桟部２２の下面、すなわち、基板４１に対向する面は、端子３１の本体部３２の基板４１に対向する面とほぼ面一となっている。また、前記横桟部２２の挿入口１３側の面、すなわち、前端面２２ａは、挿入が完了した平板状ケーブル５１の前端縁５６と当接する。
【００３０】
そして、左右の保持腕部２３は、互いに対向し、挿入方向に延在するガイド面２３ｂを備える。該ガイド面２３ｂは、挿入された平板状ケーブル５１の両側の側端縁５７をガイドし、平板状ケーブル５１の横方向、すなわち、端子３１の配列方向の位置決めを行う。また、前記保持腕部２３は、横桟部２２と反対側の端部、すなわち、自由端に内方に向かって突出する係止凸部２４を備え、該係止凸部２４の横桟部２２側の位置に外方に向かって凹入する嵌合凹部２５を備える。なお、前記保持腕部２３における自由端寄りの部分は、幅の狭い幅狭部２３ａとなっているので、柔軟性を備え、横桟部２２の延在する方向、すなわち、端子３１の配列方向に弾性的に屈曲可能となっている。これにより、挿入口１３から平板状ケーブル５１が挿入されると、保持腕部２３の自由端が端子３１の配列方向に弾性的に変位し、平板状ケーブル５１の耳部５４が嵌合凹部２５に嵌入する。
【００３１】
これにより、平板状ケーブル５１が一対の保持腕部２３によって保持されるので、ケーブル接続用コネクタ１０から平板状ケーブル５１が外れることが防止される。そして、平板状ケーブル５１に対して、挿入口１３への挿入方向と反対方向の力、すなわち、平板状ケーブル５１をケーブル接続用コネクタ１０から外そうとする力が付与された場合には、係止凸部２４が嵌合凹部２５に嵌入された平板状ケーブル５１の耳部５４の後端と係止することによって、平板状ケーブル５１の挿入方向と反対方向への変位を阻止する。すなわち、係止凸部２４は、平板状ケーブル５１の外れを防止するストッパとして機能する。
【００３２】
なお、前記係止凸部２４の自由端側には、平板状ケーブル５１の挿入方向に対して傾斜したテーパ面２４ａが形成されているので、挿入される平板状ケーブル５１の前端角部５６ａが前記テーパ面２４ａに当接しながら移動することによって、平板状ケーブル５１の横方向、すなわち、端子３１の配列方向の位置が修正される。また、前記平板状ケーブル５１の耳部５４が前記テーパ面２４ａに当接しながら移動することによって、保持腕部２３の自由端が外方に押広げられるようになっている。
【００３３】
次に、前記構成のケーブル接続用コネクタ１０の動作について説明する。ここでは、ケーブル接続用コネクタ１０に平板状ケーブル５１を接続する動作について説明する。
【００３４】
図５は本発明の実施の形態におけるケーブル接続用コネクタに平板状ケーブルを接続する動作を示す第１の断面図、図６は本発明の実施の形態におけるケーブル接続用コネクタに平板状ケーブルを接続する動作を示す第２の断面図、図７は本発明の実施の形態におけるケーブル接続用コネクタに平板状ケーブルを接続する動作を示す第３の断面図である。
【００３５】
ここで、ケーブル接続用コネクタ１０は、端子３１の後端部３３が基板４１の面上に露出している接続パッド等にはんだ付によって接続され、端子３１の先端部３５が基板４１の面上に接着剤によって接続され、カバー部材１１の足部１２が基板４１の面上に接着剤によって接続されることにより、基板４１に実装されているものとする。接着によって先端部３５を基板４１に固定すると、はんだ付用パターンが不要となり、基板４１のスペースを活かすことができるようになる。基板４１の広さに余裕があれば、先端部３５は接着ではなく、基板４１に形成されたはんだ付パターンへはんだ付によって固定してもよい。また、端子支持部材２１の厚さは、基板４１に取付けられたカバー部材１１の下面と基板４１の上面との間の寸法と同一、又は、わずかに小さい程度であるものとする。
【００３６】
そして、ケーブル接続用コネクタ１０に平板状ケーブル５１を接続する場合、まず、図５に示されるように、平板状ケーブル５１の長さ方向の端部を基板４１と平行になるようにして、平板状ケーブル５１の前端縁５６をケーブル接続用コネクタ１０の挿入口１３に対向させる。この場合、上方から観て、前記前端縁５６と挿入口１３とは互いに平行になっている。また、導電線５５が露出している面が基板４１の上面と対向して下を向いている。
【００３７】
続いて、平板状ケーブル５１を挿入方向に前進させて、図６に示されるように、平板状ケーブル５１の長さ方向の端部を挿入口１３からケーブル接続用コネクタ１０の内部に挿入する。この場合、端子３１の先端部３５は、基板４１の面上に接着剤によって接続されて固定されているので、基板４１の面に密着している。そのため、平板状ケーブル５１の前端縁５６は、前記先端部３５に引掛かることなく、スムーズに挿入方向に進行することができる。また、接触部３６の上面は、先端部３５から頂部３７までの範囲において、挿入方向に進むにつれて上昇する傾斜面となっているので、平板状ケーブル５１の前端縁５６は、接触部３６の上面に沿ってスムーズに挿入方向に進行することができる。なお、前記接触部３６の上面に当接するのは、平板状ケーブル５１の下側の面に露出している導電線５５である。
【００３８】
また、平板状ケーブル５１の長さ方向の端部を挿入口１３からケーブル接続用コネクタ１０の内部に挿入する際に、平板状ケーブル５１の位置が横方向、すなわち、端子３１の配列方向にずれていると、前端角部５６ａが、端子支持部材２１の保持腕部２３の自由端に形成されたテーパ面２４ａに当接しながら移動する。これにより、平板状ケーブル５１の端子３１の配列方向の位置が修正されるので、平板状ケーブル５１の各導電線５５と端子３１の接触部３６の位置とが整合される。また、平板状ケーブル５１が挿入方向に更に進行すると、両側の側端縁５７が左右の保持腕部２３のガイド面２３ｂによってガイドされる。これにより、平板状ケーブル５１の端子３１の配列方向の位置決めが行われるので、各導電線５５が対応する端子３１の接触部３６と確実に接触する。
【００３９】
そして、図７に示されるように、平板状ケーブル５１の前端縁５６が端子支持部材２１の横桟部２２の前端面２２ａに当接すると、平板状ケーブル５１の挿入が完了する。なお、端子支持部材２１の厚さが基板４１に取付けられたカバー部材１１の下面と基板４１の上面との間の寸法と同一、又は、わずかに小さい程度であるので、平板状ケーブル５１の前端縁５６が前端面２２ａに当接しても、前記横桟部２２は、回動したりすることなく、安定した姿勢を維持することができる。そして、各端子３１の接触部３６が、平板状ケーブル５１の下側の面に露出している対応する導電線５５に当接して電気的に接続するので、平板状ケーブル５１のケーブル接続用コネクタ１０への接続が完了する。
【００４０】
なお、平板状ケーブル５１が挿入されない状態では、図５に示されるように、前記接触部３６の頂部３７は、カバー部材１１の下側の面に接触、又は、近接する程度に上昇した位置にある。また、前記接触部３６の自由端部３８は、基板４１の上面から離れて上昇した位置にある。しかし、平板状ケーブル５１が挿入方向に進行するにつれて、接触部３６は平板状ケーブル５１によって下方に移動させられる。そして、平板状ケーブル５１の挿入が完了した状態では、図７に示されるように、接触部３６は、上から平板状ケーブル５１に押付けられ、弾性的に変形し扁平に近い形状となっている。この場合、接触部３６の頂部３７は、接触部３６が弾性的に変形することによる反発力によって、平板状ケーブル５１の下側の面に露出している対応する導電線５５に圧接するので、該導電線５５との接続を良好に維持することができる。この場合、自由端部３８が基板４１面に対して上下動することによって接触部３６が変位する。また、接触部３６が変位する前の状態で自由端部３８を基板４１面に接触させると、頂部３７と導電線５５との接触圧を大きくすることができる。この場合、自由端部３８は接触部３６の変位に応じて基板４１面上を平板状ケーブル５１の挿入方向に移動する。
【００４１】
また、平板状ケーブル５１の耳部５４が前記テーパ面２４ａに当接しながら移動することによって、保持腕部２３の自由端が外方に押広げられる。これにより、平板状ケーブル５１の挿入が完了すると、耳部５４が嵌合凹部２５に嵌入するので、平板状ケーブル５１が一対の保持腕部２３によって保持され、ケーブル接続用コネクタ１０から平板状ケーブル５１が外れることが防止される。なお、端子支持部材２１の厚さが基板４１に取付けられたカバー部材１１の下面と基板４１の上面との間の寸法と同一、又は、わずかに小さい程度であるので、保持腕部２３は、端子３１の配列方向に変形しても、該配列方向と直交する方向、すなわち、図７における上下方向に変形することがない。そのため、耳部５４が嵌合凹部２５に確実に嵌入する。また、保持腕部２３が上下方向に変形することによって耳部５４と嵌合凹部２５との嵌合が解除されてしまうこともない。
【００４２】
このように、本実施の形態において、ケーブル接続用コネクタ１０は、平板状ケーブル５１の挿入方向に延在し、基板４１面に固定される先端部３５及び後端部３３、並びに、前記先端部３５と後端部３３との間に位置し、基板４１面に垂直な方向に移動可能な自由端部３８を備える端子３１を有する。これにより、厚さが薄く、簡単な構造でありながら、端子３１の先端部３５が平板状ケーブル５１に当接することがなく、平板状ケーブル５１を容易に挿入することができる。
【００４３】
また、前記端子３１は、前記挿入方向に延在し、一端が先端部３５に接続され、他端が自由端部３８であり、平板状ケーブル５１の導電線５５と接触する接触部３６を備える。これにより、該接触部３６が導電線５５と確実に電気的に接続するので、平板状ケーブル５１をケーブル接続用コネクタ１０に確実に接続することができる。
【００４４】
さらに、ケーブル接続用コネクタ１０は、端子３１の配列方向に延在し、端子３１の本体部３２に取付けられた横桟部２２、及び、該横桟部２２の両端に接続され、前記挿入方向に延在する一対の保持腕部２３を備え、絶縁性材料から成る端子支持部材２１を有する。そのため、端子３１同士の位置関係が安定し、端子３１の取扱いが容易となり、ケーブル接続用コネクタ１０を容易に製造することができる。
【００４５】
さらに、平板状ケーブル５１は両側から突出する耳部５４を備え、保持腕部２３は、前記耳部５４が嵌入される嵌合凹部２５を備える。これにより、平板状ケーブル５１が外れることがなく、確実に平板状ケーブル５１を接続することができる。
【００４６】
なお、本発明は前記実施の形態に限定されるものではなく、本発明の趣旨に基づいて種々変形させることが可能であり、それらを本発明の範囲から排除するものではない。
【図面の簡単な説明】
【００４７】
【図１】本発明の実施の形態におけるケーブル接続用コネクタの端子ユニットを示す斜視図である。
【図２】本発明の実施の形態におけるケーブル接続用コネクタの分解図である。
【図３】本発明の実施の形態におけるケーブル接続用コネクタを示す斜視図である。
【図４】本発明の実施の形態における平板状ケーブルの端部を示す平面図である。
【図５】本発明の実施の形態におけるケーブル接続用コネクタに平板状ケーブルを接続する動作を示す第１の断面図である。
【図６】本発明の実施の形態におけるケーブル接続用コネクタに平板状ケーブルを接続する動作を示す第２の断面図である。
【図７】本発明の実施の形態におけるケーブル接続用コネクタに平板状ケーブルを接続する動作を示す第３の断面図である。
【図８】従来のケーブル接続用コネクタの断面図である。
【符号の説明】
【００４８】
１０    ケーブル接続用コネクタ
１１    カバー部材
１２    足部
１３、３０５    挿入口
２０    端子ユニット
２１    端子支持部材
２２    横桟部
２２ａ    前端面
２３    保持腕部
２３ａ    幅狭部
２３ｂ    ガイド面
２４    係止凸部
２４ａ    テーパ面
２５    嵌合凹部
３１、３０３    端子
３２    本体部
３３    後端部
３４    連結部
３５    先端部
３６    接触部
３７    頂部
３８    自由端部
４１、３１１    基板
５１、３１０    平板状ケーブル
５２    ケーブル本体
５３    補強板
５４    耳部
５５    導電線
５６    前端縁
５６ａ    前端角部
５７    側端縁
３０１    ハウジング
３０２    端子収容室
３０４    上側片部
３０６    ガイド部
３０７    隔壁
３０８    はんだテール部
３０９    ケーブル挿入室
【図１】
2007234530.tif 000003
【図２】
2007234530.tif 000004
【図３】
2007234530.tif 000005
【図４】
2007234530.tif 000006
【図５】
2007234530.tif 000007
【図６】
2007234530.tif 000008
【図７】
2007234530.tif 000009
【図８】
2007234530.tif 000010